(57)【特許請求の範囲】
【請求項１】
餌釣り仕掛けに適用され、ベイトフィッシュをホールドするベイトホルダーであって、
釣糸が接続され得るアイを有するシンカーヘッドと、
上記ベイトフィッシュを支持するフレームとして機能する軸部並びに当該軸部から所定方向に湾曲した腰部及び先曲部を有し、当該軸部の端部が上記シンカーヘッドに取り付けられた釣針部と、
一端部及び他端部を有し、当該他端部が上記所定方向に沿って上記軸部に対して近接した近接姿勢と離反した離反姿勢との間で変位可能であり、近接姿勢に変位することによって上記軸部に載置されたベイトフィッシュに当接すると共に離反姿勢に変位することによって当該ベイトフィッシュから離反するように、上記一端部が上記シンカーヘッドと上記軸部との間の境界部に取り付けられた補助アームとを備え、
上記軸部は、
上記シンカーヘッドから所定距離の位置に、上記軸部に載置されたベイトフィッシュを抱えるように湾曲形成されたガードを有し、
上記補助アームは、
上記他端部から所定距離の位置に、上記近接姿勢に変位した状態で上記軸部に載置されたベイトフィッシュの脊椎部に刺さる固定針を有するベイトホルダー。
【請求項２】
上記補助アームは金属製線材からなり、上記一端部は上記境界部に片持ち支持されている請求項１に記載のベイトホルダー。
【請求項３】
上記補助アームの一端部は、
上記境界部に固定される第１部位と、当該第１部位から屈曲して上記シンカーヘッド側へ延びる第２部位と、当該第２部位から屈曲して上記軸部と交差する方向に沿って上記シンカーヘッドから離反する向きに延びる第３部位とを有する請求項２に記載のベイトホルダー。
【請求項４】
上記補助アームの他端部に上記軸部に係合することができる係合部が形成されており、
当該係合部は、当該補助アームが上記近接姿勢となるように弾性変形したときに、上記軸部の周囲を取り囲んで上記軸部に対して上記所定方向に沿って弾性的に当接係合するように湾曲形成されている請求項２又は３に記載のベイトホルダー。
【請求項５】
上記係合部は、上記近接姿勢に変位したときに、上記軸部に載置されたベイトフィッシュの尾部を抱えることが可能な半円環状に形成されている請求項４に記載のベイトホルダー。
【請求項６】
上記ガードは、
上記シンカーヘッドから第１の距離に配置され、上記軸部に載置されたベイトフィッシュの顎部を囲繞保持する第１ガード部と、
上記シンカーヘッドから第１の距離よりも大きい第２の距離に配置され、上記軸部に載置されたベイトフィッシュの腹部を囲繞保持する第２ガード部とを備えている請求項１から５のいずれかに記載のベイトホルダー。
【請求項７】
上記軸部は、上記軸部に載置されたベイトフィッシュの腹部に刺さる刺針を備えている請求項１から６のいずれかに記載のベイトホルダー。
【発明の詳細な説明】
【技術分野】
【０００１】
この発明は、釣餌を保持するベイトホルダーの構造に関するものである。
【背景技術】
【０００２】
たとえばタチウオ釣りにおいては、「テンヤ」と称されるベイトホルダーが仕掛けに組み込まれる。一般にベイトホルダーは、錘の機能を有するヘッドと、ベイト（釣餌：典型的にはキビナゴ）を保持する保持部と、ベイトにアタックしてきたターゲット（たとえばタチウオ）にフッキングする釣針とを備えている（たとえば、特許文献１〜特許文献４参照）。
【０００３】
この釣針の軸部の基端が上記ヘッドに接続されている。釣針の腰部及び先曲部が下方に向くように当該釣針が上記ヘッドに対して配置される。また、釣針の軸部に刺針が突設されており、この刺針の先が上方を向くように配置されている。さらに、この刺針にベイトを固定するための巻付けワイヤが取り付けられている。上記保持部は、これら軸部、刺針及び巻付けワイヤによって構成されている。実釣において釣人は、ベイトとしてのキビナゴを上記刺針に突き刺すことによって上記軸部上に配置し、その状態で上記巻付けワイヤを当該キビナゴに巻き付ける。これにより、上記ベイトは上記軸部及び刺針に固定され、ベイトホルダーによって保持された状態となる。
【先行技術文献】
【特許文献】
【０００４】
【特許文献１】特開２００３−２３０３３０号公報
【特許文献２】特開２００１−３２７２３６号公報
【特許文献３】特開２００１−１４５４３６号公報
【特許文献４】特開２００１−９５４２９号公報
【発明の概要】
【発明が解決しようとする課題】
【０００５】
ところで、一般にどのような魚であっても摂餌行為が活発になる時間帯（いわゆる「地合」と称される）があり、地合は一般に短時間である。したがって、好釣果の実現のために、釣人は地合において効率的な釣りを行う必要がある。
【０００６】
すなわち、地合においてキビナゴの装着作業を迅速に行うことはきわめて重要である。ところが、ベイトとしてのキビナゴの身、特に冷凍あるいは解凍されたキビナゴの身は非常に脆い。そのため前述の要領でキビナゴをベイトホルダーに装着する作業は容易ではなく、素早く作業をするために熟練が必要であるという問題があった。また、地合においては、キビナゴの取替作業、すなわち、身崩れしたキビナゴを上記保持部から取り外して新鮮なキビナゴを装着し直す作業を迅速に行うことも重要である。具体的には、上記キビナゴに上記巻付けワイヤが巻回されているから、釣人は、当該巻付けワイヤを解く作業を迅速に行う必要である。ところが、この巻付けワイヤの線径は非常に細く、そのため、釣人は当該巻付けワイヤの端部の位置を見つけにくく、身崩れしたキビナゴを迅速に取り外す作業も容易ではないという問題があった。
【０００７】
前述のような問題点を解決するために、たとえば刺針の改良が提案されている（特許文献２及び特許文献３参照）。すなわち、キビナゴを頭部から尾部へ向かって貫くように（いわゆる縦向きに串刺しするように）、刺針が改良され得る。しかし、この構造では、キビナゴに刺針を挿通する作業中にキビナゴの身が崩れやすいうえに、釣人の手にキビナゴの身がひどく付着し、強い臭いが発生するという新たな問題が生じる。
【０００８】
また、たとえば上記釣針の軸部がバインダー機構を備えていてもよい。すなわち、上記釣針の軸部の長手方向に沿って複数の刺針が並設されることによっていわゆるバインダーが構成され、当該複数の刺針によってキビナゴが横方向に突き刺される。しかし、この機構では、バインダー機構によって保持されたキビナゴの身崩れが激しくなり、実釣においてキビナゴが簡単にベイトホルダーから脱落するおそれがある。
【０００９】
加えて、実釣ではベイトホルダーへのキビナゴの着脱の際に釣人の手や指にキビナゴの身が付着する。キビナゴは、一般に釣人の指や手に付着すると共に悪臭を発するものであり、この事実がキビナゴその他の冷凍餌を使用する釣りから釣人を遠ざける理由の一つとなっている。また、従来のベイトホルダーでは、前述のように、釣人が上記キビナゴに上記巻付けワイヤを巻き付けるという作業が必要であるが、このような粗野な作業が若年層への餌釣りに対するネガティブイメージを与えていることも事実である。
【００１０】
本発明はかかる背景のもとになされたものであって、その目的は、煩わしい動作をすることなく簡単、清潔且つ迅速にキビナゴを装着することができ、手軽で且つ垢抜けた餌釣りのさらなる普及に寄与することができるベイトホルダーを提供することである。
【課題を解決するための手段】
【００１１】
(1) 本発明に係るベイトホルダーは、餌釣り仕掛けに適用され、ベイトフィッシュをホールドするベイトホルダーであって、釣糸が接続され得るアイを有するシンカーヘッドと、上記ベイトフィッシュを支持するフレームとして機能する軸部並びに当該軸部から所定方向に湾曲した腰部及び先曲部を有し、当該軸部の端部が上記シンカーヘッドに取り付けられた釣針部と、上記シンカーヘッドと上記軸部との間の境界部に取り付けられた補助アームとを備える。この補助アームは、一端部及び他端部を有し、当該他端部が上記所定方向に沿って上記軸部に対して近接した近接姿勢と離反した離反姿勢との間で変位可能であり、近接姿勢に変位することによって上記軸部に載置されたベイトフィッシュに当接すると共に離反姿勢に変位することによって当該ベイトフィッシュから離反するように構成されており、上記一端部が上記シンカーヘッドと上記軸部との間の境界部に取り付けられている。上記軸部は、上記シンカーヘッドから所定距離の位置に、上記軸部に載置されたベイトフィッシュを抱えるように湾曲形成されたガードを有する。上記補助アームは、上記他端部から所定距離の位置に、上記近接姿勢に変位した状態で上記軸部に載置されたベイトフィッシュの脊椎部に刺さる固定針を有する。
【００１２】
このベイトホルダーは、身崩れがしやすい釣餌（ベイトフィッシュ）、典型的には解凍されたキビナゴをホールドするのに好適である。ベイトフィッシュのホールドに先立って補助アームが離反姿勢に変位される。釣針部の軸部が水平にされると共に腰部及び先曲部が下方（所定方向）に向けられた状態で、ベイトフィッシュは、頭部をシンカーヘッド側に向けられて上記軸部上に載置される。このとき、ベイトフィッシュは、上記軸部に設けられたガードによって抱えられるから、ベイトフィッシュの身崩れ、特に腹部等のきわめて柔らかい部位の身崩れが確実に抑制される。この状態で補助アームが近接姿勢に変位される。これにより、補助アームは、上記ベイトフィッシュに上方から当接すると当時に、補助アームに設けられた固定針が上記ベイトフィッシュの脊椎部に突き刺さる。ここで、「脊椎部」とは、ベイトフィッシュの背骨及びその周辺の筋肉組織である。したがって、ベイトフィッシュは、上記所定方向の下側でガードによって抱えられると共に上記所定方向の上側で固定針によって位置決めされる。しかも、この固定針は、ベイトフィッシュの脊椎部すなわち比較的硬い部位に突き刺さっているから、ベイトフィッシュの身崩れを誘発、助長することはない。なお、補助アームが再び離反姿勢に変位されると、ベイトフィッシュは簡単に上記軸部から取り外され、ベイトフィッシュの取り替えが迅速に行われる。
【００１３】
(2) 上記補助アームは金属製線材からなり、上記一端部は上記境界部に片持ち支持されているのが好ましい。
【００１４】
この構成では、補助アームは、上記シンカーヘッドと上記軸部との間の境界部に設けられた片持ち梁として機能する。すなわち、補助アームが弾性的に曲げられることによって上記近接姿勢に変位し、当該弾性変形が復元されることによって上記離反姿勢となる。したがって、補助アームの姿勢を変化させる作業も容易になるから、釣人は、より簡単且つ迅速にベイトフィッシュをホールドすることができる。しかも、近接姿勢に変位した補助アームは弾性変形によるエネルギーを蓄積しているから、当該エネルギーによって当該弾性変形が一気に復元され得る。したがって、ベイトフィッシュが上記軸部から取り外される際に補助アームが瞬時に離反姿勢に変位することができ、これにより、ベイトフィッシュの取外作業が簡単になる。
【００１５】
(3) 上記補助アームの一端部は、上記境界部に固定される第１部位と、当該第１部位から屈曲して上記シンカーヘッド側へ延びる第２部位と、当該第２部位から屈曲して上記軸部と交差する方向に沿って上記シンカーヘッドから離反する向きに延びる第３部位とを有するのが好ましい。
【００１６】
この構成では、片持ち支持された補助アームの弾性変形が容易になる。そのため、補助アームが近接姿勢に変位した状態でベイトフィッシュにソフトに接触することができる。その結果、ベイトフィッシュの身崩れがより一層抑制される。
【００１７】
(4) 上記補助アームの他端部に上記軸部に係合することができる係合部が形成されているのが好ましい。当該係合部は、当該補助アームが上記近接姿勢となるように弾性変形したときに、上記軸部の周囲を取り囲んで上記軸部に対して上記所定方向に沿って弾性的に当接係合するように湾曲形成されているのが好ましい。
【００１８】
この構成では、上記係合部が補助アームの操作部として機能する。すなわち、釣人は上記係合部を指で操作しつつ当該係合部を上記軸部側へ移動させて当該軸部に係合させることができる。したがって、釣人は、より一層簡単に補助アームを近接姿勢に変位させてベイトフィッシュをホールドすることができる。しかも、釣人は、この係合部に指を掛けて上記軸部との係合を解除することができる。補助アームは、弾性変形により近接姿勢に変位しているから、釣人が上記係合部に指を掛けて上記係合を解除することにより、いわゆるワンタッチ操作で補助アームを離反姿勢に変位させることができる。
【００１９】
(5) 上記係合部は、上記近接姿勢に変位したときに、上記軸部に載置されたベイトフィッシュの尾部を抱えることが可能な半円環状に形成されているのが好ましい。
【００２０】
この構成では、ベイトフィッシュの尾部が上記係合部よって抱えられるので、実釣においてたとえば海中での尾部の損傷、脱落が防止される。
【００２１】
(6) 上記ガードは、上記シンカーヘッドから第１の距離に配置され、上記軸部に載置されたベイトフィッシュの顎部を囲繞保持する第１ガード部と、上記シンカーヘッドから第１の距離よりも大きい第２の距離に配置され、上記軸部に載置されたベイトフィッシュの腹部を囲繞保持する第２ガード部とを備えているのが好ましい。なお、このガードは、上記補助アームを構成する金属製線材よりも低弾性の金属から構成されていてもよい。
【００２２】
この構成では、第１ガード及び第２ガードによって特に身崩れがしやすい部位が保護される。したがって、ベイトフィッシュが確実に抱えられ、身崩れが防止される。特に、ガードが低弾性金属線材から構成される場合には、身崩れしやすいベイトフィッシュであってもソフトに確実に抱えられる。
【００２３】
(7) 上記軸部は、上記軸部に載置されたベイトフィッシュの腹部に刺さる刺針を備えていてもよい。
【００２４】
この構成では、刺針によってベイトフィッシュの腹部が保持されるので、ベイトフィッシュのホールドがより確実になる。
【発明の効果】
【００２５】
この発明によれば、釣人は、従来のように巻付けワイヤをベイトフィッシュに巻き付けるという煩わしい作業をすることなく、補助アームの姿勢を変えるだけで簡単にベイトフィッシュをベイトホルダーに装着することができる。このベイトフィッシュは、補助アーム及び固定針によって仮保持されつつガードによって抱えられるので、結果として確実にホールドされ且つ容易に身崩れを起こさない。しかも、ベイトフィッシュの着脱に際して当該ベイトフィッシュと釣人の手との接触を最小限に抑えることができるので、清潔感があり釣餌独特の臭いが釣人の指に付着することも抑制される。
【図面の簡単な説明】
【００２６】
【図１】図１は、本発明の一実施形態に係るベイトホルダー１１を備えた釣用仕掛け１０の正面図である。
【図２】図２は、本発明の一実施形態に係るベイトホルダー１１の釣針部１５の要部を示す正面図である。
【図３】図３は、釣針部１５の要部を示す右側面図である。
【図４】図４は、釣針部１５に設けられた第１ガード２５の正面図である。
【図５】図５は、釣針部１５に設けられた第１ガード２５の左側面図である。
【図６】図６は、釣針部１５に設けられた第２ガード３１の正面図である。
【図７】図７は、釣針部１５に設けられた第２ガード３１の左側面図である。
【図８】図８は、釣針部１５に設けられた刺針３８の正面図である。
【図９】図９は、釣針部１５に設けられた刺針３８の左側面図である。
【図１０】図１０は、本発明の一実施形態に係るベイトホルダー１１を備えた釣用仕掛け１０の正面図である。
【図１１】図１１は、本発明の一実施形態に係るベイトホルダー１１のアーム本体４１の正面図である。
【図１２】図１２は、アーム本体４１の左側面図である
【図１３】図１３は、本発明の一実施形態に係るベイトホルダー１１の固定針４２の正面図である。
【図１４】図１４は、固定針４２の左側面図である。
【図１５】図１５は、本発明の一実施形態の変形例に係る第１ガードの正面図である。
【図１６】図１６は、本発明の一実施形態の変形例に係る第２ガードの正面図である。
【図１７】図１７は、本発明の一実施形態の変形例に係る第２ガードの左側面図である。
【発明を実施するための形態】
【００２７】
以下、本発明の好ましい実施形態が、適宜図面が参照されながら説明される。
【００２８】
［概略構成と特徴点］
【００２９】
図１は、本発明の一実施形態に係るベイトホルダー１１を備えた釣用仕掛け１０の正面図である。
【００３０】
この釣用仕掛け１０は、タチウオ釣りに対応したものであって、上記ベイトホルダー１１と、釣糸１２とを備えている。この釣糸１２は、ベイトホルダー１１のアイ１４に連結されており、釣竿を介して釣糸リールに巻き取られている。同図は、実釣における水中でのベイトホルダー１１の姿勢を示している。ベイトホルダー１１は、水中では水平状態が保たれ、釣餌としてのキビナゴ１３は、図中の二点鎖線が示す姿勢で保持されるようになっている。
【００３１】
ベイトホルダー１１は、釣針部１５と、シンカーヘッド１６と、補助アーム１７とを備えている。このベイトホルダー１１の特徴とするところは、釣針部１５及び補助アーム１７の構造である。補助アーム１７は、同図が示す姿勢（近接姿勢）と、図１０が示す姿勢（離反姿勢）との間で変位することができるようになっている。このような補助アーム１７及び釣針部１５が設けられることによって、キビナゴ１３が身崩れを起こすことなく簡単に且つ容易に保持されるようになっている。
【００３２】
［釣針部及びシンカーヘッド］
【００３３】
釣針部１５は、ターゲットであるタチウオがキビナゴ１３にアタックしたときに当該タチウオに刺さる釣針として機能する。釣針部１５は、軸部１８と、腰部１９と、先曲部２０とを備えている。これらは金属製の線材（典型的にはステンレス鋼）からなり、一体的に形成されている。軸部１８は真直棒状に形成されており、キビナゴ１３が載置される際のフレームとして機能する。腰部１９は、軸部１８の一端部２１に連続しており、同図において上下方向２４（特許請求の範囲に記載された「所定方向」に対応）の下向きに湾曲している。先曲部２０は、腰部１９に連続している。この先曲部２０は、その先端部２３が軸部１８の他端部２２に向かって延びるように湾曲されている。なお、この先端部２３にいわゆるバーブが形成されている。
【００３４】
図２及び図３は、それぞれ、釣針部１５の要部を示す正面図及び右側面図である。
【００３５】
図１ないし図３が示すように、軸部１８の他端部２２は、上下方向２４の上向きに屈曲されている。そして、軸部１８の他端にアイ１４が形成されている。アイ１４は、軸部１８が環状に湾曲形成されることにより構成されてもよいし、リング部材が軸部１８の他端に取り付けられることにより構成されてもよい。そして、このアイ１４に釣糸１２が連結される。
【００３６】
シンカーヘッド１６は、金属（典型的には鉛）からなり、軸部１８の他端部２２に設けられている。シンカーヘッド１６は、釣用仕掛け１０を水中に安定的に沈めるために、所定の重量に設定されている。シンカーヘッド１６の形状は特に限定されないが、本実施形態では、小魚の頭部を模して成形されている。
【００３７】
図４及び図５は、それぞれ、釣針部１５に設けられた第１ガード２５の正面図及び左側面図である。
【００３８】
図１が示すように、釣針部１５は、第１ガード２５（特許請求の範囲に記載された「第１ガード部」「ガード」に対応）を備えている。この第１ガード２５は、金属製の線材からなる。第１ガード２５の線径は、本実施形態では０．８ｍｍ設定されているが、０．６ｍｍ〜１．２ｍｍの範囲で設定され得る。第１ガード２５を構成する材料は、軟質ステンレス鋼又は真鍮等が採用される。第１ガード２５は、図５が示すように、全体としてＵ字状に形成されている。図４が示すように、第１ガード２５は、逆Ｕ字状に形成された側縁部２６、２７と、これらを連結する連結部２８とを有する。側縁部２６、２７及び連結部２８は、上記線材が湾曲されることにより一体的に形成されている。本実施形態では、側縁部２６、２７は同一の形状であり、一対の脚部２９とクラウン部３０とを備えている。クラウン部３０は円弧状に形成されている。クラウン部３０が円弧状に形成されることによる作用効果については後述される。
【００３９】
図６及び図７は、それぞれ、釣針部１５に設けられた第２ガード３１の正面図及び左側面図である。
【００４０】
図１が示すように、釣針部１５は、第２ガード３１（特許請求の範囲に記載された「第２ガード部」「ガード」に対応）を備えている。この第２ガード３１は、第１ガード２５と同様の材料からなる。第２ガード３１も第１ガード２５と同様に全体としてＵ字状に形成されている（図７参照）。また、第２ガード３１は、図６が示すように逆Ｕ字状に形成された側縁部３２、３３と、これらを連結する連結部３４とを有する。側縁部２６、２７は同一の形状であり、前脚部３５及び後脚部３６とクラウン部３７とを備えている。
【００４１】
本実施形態では、連結部３４の長さは上記連結部２８の長さよりも大きく設定されている。すなわち、第１ガード２５の側縁部３２、３３間の隙間よりも、第２ガード３１の側縁部３２、３３間の隙間の方が大きくなっている。また、後脚部３６が後方へ傾斜しており、そのため、第２ガード３１が後方へ傾斜するように変形されている。クラウン部３７は上向きに凸形状を呈する滑らかな弧状に形成されている。クラウン部３６が弧状に形成されることによる作用効果については後述される。
【００４２】
図１が示すように、第１ガード２５及び第２ガード３１は、上下方向２４の下方から上向きに軸部１８に対して固定されている。具体的には、軸部１８が連結部２８及び連結部３４の中央に位置するように当該連結部２８、３４の上縁に載置される。連結部２８、３４は、軸部１８に対してたとえばろう付けその他の溶接手段によって固着される。したがって、第１ガード２５の側縁部２６、２７並びに第２ガード３１の側縁部３２、３３は、軸部１８の両側に左右対称に配置される。
【００４３】
第１ガード２５は、シンカーヘッド１６の外縁から距離Ｌ１（特許請求の範囲に記載された「所定距離」「第１の距離」に対応）の位置に固定されている。また、第２ガード３１は、シンカーヘッド１６の外縁から距離Ｌ２（特許請求の範囲に記載された「所定距離」「第２の距離」に対応）の位置に固定されている。本実施形態では、距離Ｌ１は１０ｍｍ〜１５ｍｍに設定され、距離Ｌ２は４０ｍｍ〜６０ｍｍに設定されているが、これに限定されるものではなく、要するにＬ１＜Ｌ２の関係が成立していればよい。前述のように、上記側縁部３２、３３間の隙間よりも上記側縁部３２、３３間の隙間の方が大きく設定されているから、第１ガード２５及び第２ガード３１は、それぞれ、後述のようにキビナゴ１３の頭部及び腹部をサポートすることができる。
【００４４】
図８及び図９は、それぞれ、釣針部１５に設けられた刺針３８の正面図及び左側面図である。
【００４５】
図１が示すように、軸部１８の後方に刺針３８が設けられている。この刺針３８は、釣針部１５と同様の材料から構成されている。ただし、刺針３８を構成する材料の線径は、軸部１８を構成する材料の線径よりも小さく設定されている。刺針３８の線径が小さく設定されることにより、刺針３８がキビナゴ１３に突き刺されたときのキビナゴ１３の身崩れが抑えられる。刺針３８は、図８及び図９が示すように鎹状に形成されており、真直な基部３９と、基部３９の両端に設けられた突刺部４０とを備えている。突刺部４０は、基部３９に対して略直交しており、上下方向２４の上向きに突出している。この刺針３８は、ろう付けその他の溶接手段により軸部１８に固着されている。この刺針３８が設けられていることによる作用効果については後述される。
【００４６】
［補助アーム］
【００４７】
図１０は、ベイトホルダー１１を備えた釣用仕掛け１０の正面図であって、補助アーム１７が離反姿勢に変位した状態を示している。
【００４８】
まず、図１が示すように、補助アーム１７は、軸部１３上にキビナゴ１３が載置されたときに、釣針部１５と協働してキビナゴ１３を上下方向２４に挟み込むことができる。補助アーム１７は、アーム本体４１と、固定針４２とを備えている。アーム本体４１は釣針部１５によって片持ち支持されており、弾性的に変形することによって図１が示す近接姿勢と図１０が示す離反姿勢との間で変位することができる。
【００４９】
図１１及び図１２は、それぞれ、アーム本体４１の正面図及び左側面図である。
【００５０】
アーム本体４１は、金属製の線材（典型的にはピアノ線その他硬鋼線、ステンレス鋼線）からなり、釣針部１５を構成する線材よりも高弾性の材料から構成されている。アーム本体４１の一端部４３が釣針部１５に連結されている。この一端部４３は、図１及び図１１が示すように屈曲形成されている。すなわち、当該一端部４３は、第１部位４４、第２部位４５及び第３部位４６を備えており、これらが連続して形成されている。第１部位４４は、図１が示すようにシンカーヘッド１６と軸部１８との境界部４７に固定されている。本実施形態では、この第１部位４４は、軸部１８に沿って配置され、ろう付けその他の溶接手段により軸部１８に固着されている。第２部位４５は第１部位４４に対して屈曲して延設されており、図１が示すようにシンカーヘッド１６側へ延びている。さらに、第３部位４６は第２部位４５に対して屈曲して延設されており、図１及び図１０が示すように後方へ（図中左側へ）延びている。この第３部位４６及びこれに連続するアーム本体４１の中間部は、軸部１８に対して交差する方向に延びており、アーム本体４１が離反姿勢に変位したときに（図１０が示す姿勢）軸部１８と角度θ（本実施形態では４５°（ｄｅｇｒｅｅ））で交差している。
【００５１】
アーム本体４１の他端部４８に係合部４９が形成されている。この係合部４９は、アーム本体４１を構成する線材が円弧状に湾曲されることにより形成されている。すなわち、係合部４９は、当該アーム本体４１に半円環状の部材が上下方向２４の下向きに懸架された状態で配置されている。この係合部４９の内径は所定の寸法に設定されており、図１が示すように、係合部４９は、キビナゴ１３の尾部を囲繞し抱えることができる。
【００５２】
前述のようにアーム本体４１の一端部４３が上記境界部４７に固定されることによって、補助アーム１１は常時において図１０が示す離反姿勢となる。すなわち、補助アーム１１は、常時において他端部４８が軸部１８から離反する。釣人は、補助アーム１１に対して矢印５０の方向に力を加えることにより、補助アーム１１が曲げられて図１が示す近接姿勢となる。すなわち、補助アーム１１の他端部４８が軸部１８に近接する。本実施形態では、補助アーム１１が近接姿勢となったとき、上記係合部４９が軸部１８に簡単に係合することができる。具体的には、上記係合部４９が軸部１８の周囲を取り囲むように相対的に軸部１８が係合部４９の内部に配置される。このとき、アーム本体４１が弾性変形しているので、アーム本体４１が離反姿勢に復帰しようとする弾性力によって係合部４９が軸部１８と上下方向２４に当接し、両者が確実に係合する。これにより、補助アーム１１の近接姿勢が保持される。また、係合部４９が上記弾性力によって軸部１８と係合しているから、たとえば釣人は、この係合部４９を指で押すだけで簡単に係合部４９と軸部１８との係合を解除することができる。
【００５３】
図１３及び図１４は、それぞれ、固定針４２の正面図及び左側面図である。
【００５４】
この固定針４２は、図１及び図１０が示すように、アーム本体４１の中間部に設けられている。具体的には、固定針４２は、アーム本体４１の他端部４８距離Ｌ３（特許請求の範囲に記載された「所定距離」に対応）の位置に配置されている。この固定針４２は、アーム本体４１と同様の材料から構成され得るが、アーム本体４１を構成する材料よりも硬い材料から構成されるのが好ましい。固定針４２を構成する材料の線径は特に限定されないが、固定針４２は後述のようにキビナゴ１３を固定するものであるから、アーム本体４１を構成する材料の線径と同等もしくはそれ以上の寸法に設定されるのが好ましい。
【００５５】
固定針４２は、図１３及び図１４が示すように鎹状に形成されており、真直な基部５１と、基部５１の両端に設けられた突刺部５２とを備えている。突刺部５２は、基部５１に対して略直交しており、アーム本体４１から離れる向きに（図１において上下方向２４の下向きに）突出している。この固定針４２は、ろう付けその他の溶接手段によりアーム本体４１に固着されている。この固定針４２が設けられていることによる作用効果については後述される。
【００５６】
［ベイトホルダーの使用要領］
【００５７】
前述のように、本実施形態に係る仕掛け１０はタチウオ釣りに使用され、この釣りでは、釣餌として一般に冷凍キビナゴ１３（実際には解凍したもの）が使用される。この解凍されたキビナゴ１３はきわめて身崩れがしやすいうえ、身崩れしたキビナゴ１３は独特の臭いが強く、そのため、釣人にとって扱い難い餌の一つである。本実施形態に係るベイトホルダー１１は、そのような身崩れがしやすいキビナゴ１３をホールドするためのものである。キビナゴ１３は、次の要領でベイトホルダー１１に装着される。
【００５８】
図１及び図１０が示すように、釣人は、補助アーム１７を操作して係合部４９と軸部１８との係合を解除することによって補助アーム１７を離反姿勢に変位させる。釣人は、釣針部１５を一方の手に持ち、軸部１８が水平にした状態（図１０が示す状態）でキビナゴ１３を他方の手で摘んで上方から軸部１８上に配置する。キビナゴ１３は、図１が示すように頭部をシンカーヘッド１６側に向けられ、腹部を上下方向２４の下側に向けられる。これにより、キビナゴ１３の頭部及び腹部は、それぞれ、第１ガード２５及び第２ガード３１によって取り囲まれるようにして抱えられる。
【００５９】
このとき、第１ガード２５及び第２ガード３１のクラウン部３０、３７が滑らかな弧状に形成されているから、上方から第１ガード２５及び第２ガード３１に挿入されるキビナゴ１３が第１ガード２５及び第２ガード３１に衝突したとしても損傷を受けることが抑制される。同時に、軸部１８に刺針３８が設けられているから、刺針３８が下方からキビナゴ１３に突き刺さる。これにより、キビナゴ１３が軸部１８上で一層安定する。
【００６０】
続いて釣人は、補助アーム１７を操作して近接姿勢（図１参照）に変位させる。これにより、補助アーム１７は、キビナゴ１３に上方から当接すると共に固定針４２がキビナゴ１３に刺さる。本実施形態では、固定針４２がアーム本体４１の他端部４８から距離Ｌ３の位置に配置されているから、固定針４２の突刺部５２は、キビナゴ１３の脊椎部に突き刺さる。
【００６１】
このように、釣人は、従来のようにワイヤ等によりキビナゴをベイトホルダーに括りつけることなく、補助アーム１７を指先で操作することによって簡単且つ迅速にキビナゴ１３をベイトホルダー１１に装着することができる。しかも、キビナゴ１３の柔らかい部分、すなわち腹部やエラ付近の顎部が上記第１ガード２５及び第２ガード３１によって抱えられた状態で保護されるから、キビナゴ１３の身崩れが確実に抑制される。
【００６２】
補助アーム１７が近接姿勢に変位することによって、補助アーム１７はキビナゴ１３に上方から当接すると共に固定針４２がキビナゴ１３の脊椎部に突き刺さるから、キビナゴ１３は軸部１８上で確実に位置決めされる。この固定針４２は、キビナゴ１３の脊椎部すなわち比較的硬い部位に突き刺さっているから、キビナゴ１３の身崩れを誘発、助長することはない。そして、この状態から補助アーム１７が再び離反姿勢に変位されると、キビナゴ１３は、簡単に軸部１８上から取り外される。
【００６３】
本実施形態では、上記刺針３８もキビナゴ１３の位置決めに寄与している。この刺針３８を構成する線材の外径は前述のように小さいので、刺針３８によってキビナゴ１３の身崩れが生じることはない。また、この刺針３８は、キビナゴ１３の腹側から背骨に刺さるように形成されていてもよい。その場合、刺針３８がキビナゴ１３を固定するので、キビナゴ１３がより一層確実にホールドされ、身崩れが防止される。もっとも、この刺針３８は省略されてもよい。
【００６４】
このベイトホルダー１１では、釣人は、補助アーム１７の姿勢を変えるだけの操作、つまり、簡単且つスマートな操作でキビナゴ１３をベイトホルダー１１に装着することができる。キビナゴ１３は、補助アーム１７及び固定針４２によって仮保持されると共に第１ガード２５及び第２ガード３１によって抱えられるので、結果として確実にホールドされ且つ容易に身崩れを起こさない。しかも、キビナゴ１３の装着に際して釣人にとってキビナゴ１３と手との接触を最小限に抑えることができるので、清潔感があり釣餌独特の臭いが釣人の指に付着することも抑制される。
【００６５】
本実施形態に係るベイトホルダー１１では、補助アーム１７が金属製線材からなり、前述のように軸部１８とシンカーヘッド１６との間の境界部４７にて片持ち支持されている（図１及び図１０参照）。このため、補助アーム１７が弾性的に曲げられることのみによって近接姿勢に変位し、しかも当該弾性変形が復元されることによって離反姿勢に復帰する。したがって、釣人は、より簡単に且つ迅速にキビナゴ１３をホールドすることができるという利点がある。さらに、近接姿勢に変位した補助アーム１７は弾性エネルギーを蓄積しているから、この弾性エネルギーによって当該弾性変形が一気に復元され、離反姿勢に復帰することができる。したがって、釣人は、キビナゴ１３を軸部１８から取り外す際に補助アーム１７と軸部１８との係合を解除するだけで補助アーム１７を瞬時に離反姿勢に変位させることができる。その結果、キビナゴ１３の取外作業も簡単且つ迅速に行うことができる。
【００６６】
また、本実施形態では、補助アーム１７の一端部４３が図１及び図１０が示すように屈曲されているから、片持ち状態で支持された補助アーム１７が離反姿勢から近接姿勢へと変位する際に容易に弾性変形をすることができる。そのため、補助アーム１７が近接姿勢に変位した状態で（図１参照）、キビナゴ１３の背中に沿ってソフトに接触することができる。その結果、キビナゴ１３の身崩れがより一層抑制されるという利点がある。もっとも、補助アーム１７の一端部４３が前述のように折り返されていなくてもよい。
【００６７】
さらに、補助アーム１７の他端部４８に係合部４９が設けられているから、釣人は、この係合部４９を補助アーム１７の操作部として使用することができる。すなわち、釣人は係合部４９を指で押さえながら補助アーム１７の他端部を軸部１８側へ移動させて当該軸部１８にきわめて簡単に係合させることができる。また、釣人は、係合部４９に指を掛けて当該係合部４９と軸部１８との係合を簡単に解除することができる。前述のように、補助アーム１７は弾性変形により近接姿勢に保持されているから、釣人が係合部４９と軸部１８との係合が解除されることにより、補助アーム１７は一気に離反姿勢に復帰する。つまり、釣人は、ワンタッチ操作で補助アーム１７を離反姿勢に変位させることができる。なお、補助アーム１７の弾性力が調整されることにより、近接姿勢から一気に離反姿勢に復帰する際に、補助アーム１７ないし軸部１８に残存したキビナゴ１３が自動的に補助アーム１７等から離脱する。
【００６８】
前述のように上記係合部４９は、図１が示す状態でキビナゴ１３の尾部を抱えることができるので、実釣においてたとえば海中でのキビナゴ１３の尾部の損傷や脱落が防止されるという利点もある。また、海中において尾部が自然に揺動し、ターゲットとなるタチウオに対していわゆる「誘い」が演出される。なお、係合部４９は、半円環状でなく他の形態に形成されていてもよい。
【００６９】
本実施形態では、上記第１ガード２５及び第２ガード３１が軟質ステンレス鋼あるいは真鍮等の低弾性金属から構成されているので、キビナゴ１３の身崩れがしやすい部位がソフトに確実に保護される。もっとも、第１ガード２５及び第２ガード３１を構成する材料は、特に低弾性金属でなくてもよい。
【００７０】
［変形例］
【００７１】
本実施形態では、刺針３８は軸部１８の後方にのみ配置されているが、他の刺針が軸部１８の前方に配置されていてもよい。具体的には、キビナゴ１３の顎部に対応する位置に設けられ、当該刺針が下方から頭部を突き刺すように配置されていてもよい。なお、本実施形態では、刺針３８の線径は小さく設定されているが、刺針３８の線径は特に限定されるものではない。
【００７２】
同様に、本実施形態では、補助アーム１１に固定針４２のみが設けられているが、他の固定針がアーム本体４１に設けられていてもよい。その場合、２本〜４本の突刺部５２が設けられるのが好ましく、キビナゴ１３の脊椎部を突き刺すものであればよい。固定針４２の線径や材質は特に限定されないが、線径が小さく、且つ硬い（高弾性）材料から構成されるのが好ましい。
【００７３】
また、本実施形態では、第１ガード２５及び第２ガード３１が設けられているが、これらが一体的に形成されていてもよい。その場合、一体的に形成された第１ガード２５及び第２ガード３１は、鋼板により形成されてもよい。要するに、キビナゴ１３の腹部その他柔らかくて身崩れがしやすい部位を囲繞し抱えて保護するガードが設けられていればよい。
【００７４】
図１５は、本実施形態の変形例に係る第１ガードの正面図である。同図（ａ）は第１ガードの第１の変形例、同図（ｂ）は第２の変形例を示している。
【００７５】
同図（ａ）が示す第１ガード５５は、正面視の形状がＭ字状に形成されている。同図（ｂ）が示す第１ガード５６は、正面視の形状が扇形に形成されている。これら各変形例の趣旨は、キビナゴ１３（図１参照）と第１ガード５５、５６との接触面積の拡大である。なお、キビナゴ１３との接触面積が拡大されるならば、他の形状が採用されてもよいことは勿論である。
【００７６】
図１６は、本実施形態の変形例に係る第２ガードの正面図である。同図（ａ）は第２ガードの第１の変形例、同図（ｂ）は第２の変形例を示している。
【００７７】
同図（ａ）が示す第２ガード５７は、正面視の形状が中央が凹んだ略Ｍ字状に形成されている。同図（ｂ）が示す第２ガード５８は、正面視の形状が略Ｙ字状に形成されている。これら各変形例の趣旨もキビナゴ１３（図１参照）と第２ガード５７、５８との接触面積の拡大である。なお、キビナゴ１３との接触面積が拡大されるならば、他の形状が採用されてもよいことは勿論である。
【００７８】
図１７は、本実施形態の変形例に係る第２ガード５９の左側面図である。同図（ａ）は第２ガード５９の第３の変形例、同図（ｂ）は第４の変形例を示している。
【００７９】
同図（ａ）が示す第２ガード５９が上記実施形態に係る第２ガード３１と異なるところは、第２ガード５９の側面視の形状がより滑らかなＵ字状に形成されている点である。また、同図（ｂ）が示す第２ガード６０では、側面視の形状が略環状に形成されている。これら各変形例の趣旨も、キビナゴ１３（図１参照）と第２ガード５９、６０との接触面積の拡大である。なお、上記実施形態に係る第１ガード２５についても、側面視の形状が当該変形例に倣って変更されてもよい。
【符号の説明】
【００８０】
１０・・・釣用仕掛け
１１・・・ベイトホルダー
１３・・・キビナゴ
１４・・・アイ
１５・・・釣針部
１６・・・シンカーヘッド
１７・・・補助アーム
１８・・・軸部
１９・・・腰部
２０・・・先曲部
２４・・・上下方向
２５・・・第１ガード
３１・・・第２ガード
３８・・・刺針
４１・・・アーム本体
４２・・・固定針
４３・・・異端部
４４・・・第１部位
４５・・・第２部位
４６・・・第３部位
４７・・・境界部
４８・・・他端部
４９・・・係合部
５１・・・基部
５２・・・突刺部
【図１】
0005522737.tif 000002
【図２】
0005522737.tif 000003
【図３】
0005522737.tif 000004
【図４】
0005522737.tif 000005
【図５】
0005522737.tif 000006
【図６】
0005522737.tif 000007
【図７】
0005522737.tif 000008
【図８】
0005522737.tif 000009
【図９】
0005522737.tif 000010
【図１０】
0005522737.tif 000011
【図１１】
0005522737.tif 000012
【図１２】
0005522737.tif 000013
【図１３】
0005522737.tif 000014
【図１４】
0005522737.tif 000015
【図１５】
0005522737.tif 000016
【図１６】
0005522737.tif 000017
【図１７】
0005522737.tif 000018